(57)【要約】【課題】従来の画像の間引き表示方法による立体表示では、斜め線の表示においてジャギー（ぎざぎざ）が目立つなどの課題があった。【解決手段】本発明のサブフィールド生成装置１００は、フレーム画像を構成する原サブフィールドに対してライン間引き対象となるサブフィールドとライン間引き対象にならないサブフィールドとをフレーム画像の画像特性に基づいて決定するライン間引き対象サブフィールド決定器１５０と、ライン間引きされた間引きサブフィールドの間引かれたラインを補間したＭ個の第１の出力用サブフィールドを生成する第１サブフィールド生成部１３４と、ライン間引きされないＮ個の全ライン表示サブフィールドから第２の出力用サブフィールドを生成する第２サブフィールド生成部１３５から構成される。【選択図】図４
2014044222.tif 000002
【特許請求の範囲】
【請求項１】
フレーム画像を構成する重み付けされた（Ｍ＋Ｎ）個（Ｍ、Ｎは正の整数）の原サブフィールドに対して、一行おきにライン間引きを行う対象となるＭ個のライン間引き対象サブフィールドと前記ライン間引き対象サブフィールド以外のＮ個の前記原サブフィールドを前記フレーム画像の画像特性に基づいて決定するライン間引き対象サブフィールド決定手段と、
前記ライン間引き対象サブフィールド決定手段で決定されたＭ個の前記ライン間引き対象サブフィールドのラインが一行おきに間引かれた間引きサブフィールドから間引かれたラインを補間したＭ個の第１の出力用サブフィールドを生成する第１出力用サブフィールド生成手段と、
前記ライン間引き対象サブフィールド決定手段で決定されたＮ個の前記原サブフィールドからＮ個の第２の出力用サブフィールドを生成する第２出力用サブフィールド生成手段と
を有する出力用サブフィールド生成装置。
【請求項２】
前記画像特性が前記フレーム画像の輝度特性、前記フレーム画像の平均画素レベル、前記フレーム画像の緑信号の画素分布、または前記フレーム画像内のエッジ情報の少なくとも１つまたはそれらの組み合せである請求項１記載の出力用サブフィールド生成装置。
【請求項３】
前記ライン間引き対象サブフィールド決定手段が、前記フレーム画像を構成する前記原サブフィールドの中で表示データのない前記原サブフィールドをＭ個の前記ライン間引き対象サブフィールドに含める請求項１記載の出力用サブフィールド生成装置。
【請求項４】
前記ライン間引き対象サブフィールド決定手段が、前記フレーム画像を構成する前記原サブフィールドの中で重み付けが最大または最小の少なくともいずれか一方の前記原サブフィールドを前記ライン間引き対象サブフィールド以外のＮ個の前記原サブフィールドに含める請求項１記載の出力用サブフィールド生成装置。
【請求項５】
フレーム画像を構成する重み付けされた（Ｍ＋Ｎ）個（Ｍ、Ｎは正の整数）の原サブフィールドに対して、一行おきにライン間引きを行う対象となるＭ個のライン間引き対象サブフィールドと前記ライン間引き対象サブフィールド以外のＮ個の前記原サブフィールドを、Ｍ個の前記ライン間引き対象サブフィールドの組み合せの予め決められたＬ個のパターンを順次適用するようにして決定するライン間引き対象サブフィールド決定手段と、
前記ライン間引き対象サブフィールド決定手段で決定されたＭ個の前記ライン間引き対象サブフィールドのラインが一行おきに間引かれた間引きサブフィールドから間引かれたラインを補間したＭ個の第１の出力用サブフィールドを生成する第１出力用サブフィールド生成手段と、
前記ライン間引き対象サブフィールド決定手段で決定されたＮ個の前記原サブフィールドからＮ個の第２の出力用サブフィールドを生成する第２出力用サブフィールド生成手段と
を有する出力用サブフィールド生成装置。
【請求項６】
前記第１出力用サブフィールド生成手段が、前記間引きサブフィールドの間引かれたラインを前記間引かれたラインに隣接する上ラインまたは下ラインのいずれか一方のデータを複写することで前記第１の出力用サブフィールドを生成する請求項１または５記載の出力用サブフィールド生成装置。
【請求項７】
前記第１出力用サブフィールド生成手段が、前記フレーム画像が偶数フレームの場合には前記間引きサブフィールドの間引かれたラインに前記間引かれたラインに隣接する上側または下側のいずれか一方の側のラインを複写し、前記フレーム画像が奇数フレームの場合には前記間引きサブフィールドの間引かれたラインに前記間引かれたラインに隣接する前記偶数フレームの場合とは異なる側のラインを複写することで前記第１の出力用サブフィールドを生成する請求項１または５記載の出力用サブフィールド生成装置。
【請求項８】
前記第２出力用サブフィールド生成手段が、前記間引きサブフィールドの間引かれたラインの位置に対応する前記フレーム画像を構成する重み付けされた（Ｍ＋Ｎ）個の前記原サブフィールドのラインから成る補正前ラインデータの重み付け合計と前記間引きサブフィールドの間引かれたラインの位置に対応する前記第１の出力用サブフィールドのラインと前記第２の出力用サブフィールドのラインから成る補正後ラインデータの重み付け合計との誤差を拡散するように、Ｎ個の前記第２の出力用サブフィールドを生成する請求項６または７記載の出力用サブフィールド生成装置。
【請求項９】
前記第１出力用サブフィールド生成手段が、前記間引きサブフィールドの間引かれたラインの位置および前記間引かれたラインに隣接する上側または下側のいずれか一方の側のラインの位置に対応する前記フレーム画像を構成する重み付けされた（Ｍ＋Ｎ）個の前記原サブフィールドの隣接する２ラインから成る補正前隣接２ラインデータの重み付け合計と前記間引きサブフィールドの間引かれたラインの位置および前記間引かれたラインに隣接する上側または下側のいずれか一方の側のラインの位置に対応する前記第１の出力用サブフィールドの隣接する２ラインと前記第２の出力用サブフィールドの隣接する２ラインから成る補正後隣接２ラインデータの重み付け合計との誤差を拡散するように、Ｍ個の前記第１の出力用サブフィールドを生成する請求項６または７記載の出力用サブフィールド生成装置。
【請求項１０】
前記第１出力用サブフィールド生成手段および前記第２出力用サブフィールド生成手段が、前記間引きサブフィールドの間引かれたラインの位置および前記間引かれたラインに隣接する上側または下側のいずれか一方の側のラインの位置に対応する前記フレーム画像を構成する重み付けされた（Ｍ＋Ｎ）個の前記原サブフィールドの隣接する２ラインから成る補正前隣接２ラインデータの重み付け合計と前記間引きサブフィールドの間引かれたラインの位置および前記間引かれたラインに隣接する上側または下側のいずれか一方の側のラインの位置に対応する前記第１の出力用サブフィールドの隣接する２ラインと前記第２の出力用サブフィールドの隣接する２ラインから成る補正後隣接２ラインデータの重み付け合計との誤差を拡散するように、Ｍ個の前記第１の出力用サブフィールドおよびＮ個の前記第２の出力用サブフィールドを生成する請求項６または７記載の出力用サブフィールド生成装置。
【請求項１１】
フレーム画像を構成する重み付けされた（Ｍ＋Ｎ）個（Ｍ、Ｎは正の整数）の原サブフィールドに対して、一ラインおきにライン間引きを行う対象となるＭ個のライン間引き対象サブフィールドと前記ライン間引き対象サブフィールド以外のＮ個の前記原サブフィールドを前記フレーム画像の画像特性に基づいて決定するライン間引き対象サブフィールド決定ステップと、
前記ライン間引き対象サブフィールド決定ステップで決定されたＭ個の前記ライン間引き対象サブフィールドのラインが一ラインおきに間引かれた間引きサブフィールドから間引かれたラインを補間したＭ個の第１の出力用サブフィールドを生成する第１出力用サブフィールド生成ステップと、
前記ライン間引き対象サブフィールド決定ステップで決定されたＮ個の前記原サブフィールドからＮ個の第２の出力用サブフィールドを生成する第２出力用サブフィールド生成ステップと
を有する出力用サブフィールド生成方法。
【請求項１２】
前記画像特性が前記フレーム画像の輝度特性、前記フレーム画像の平均画素レベル、前記フレーム画像の緑信号の画素分布、または前記フレーム画像内のエッジ情報の少なくとも１つまたはそれらの組み合せである請求項１１記載の出力用サブフィールド生成方法。
【請求項１３】
前記ライン間引き対象サブフィールド決定ステップで、前記フレーム画像を構成する前記原サブフィールドの中で表示データのない前記原サブフィールドをＭ個の前記ライン間引き対象サブフィールドに含める請求項１１記載の出力用サブフィールド生成方法。
【請求項１４】
前記ライン間引き対象サブフィールド決定ステップで、前記フレーム画像を構成する前記原サブフィールドの中で重み付けが最大または最小の少なくともいずれか一方の前記原サブフィールドを前記ライン間引き対象サブフィールド以外のＮ個の前記原サブフィールドに含める請求項１１記載の出力用サブフィールド生成方法。
【請求項１５】
フレーム画像を構成する重み付けされた（Ｍ＋Ｎ）個（Ｍ、Ｎは正の整数）の原サブフィールドに対して、一ラインおきにライン間引きを行う対象となるＭ個のライン間引き対象サブフィールドと前記ライン間引き対象サブフィールド以外のＮ個の前記原サブフィールドを、Ｍ個の前記ライン間引き対象サブフィールドの組み合せの予め決められたＬ個のパターンを順次適用するようにして決定するライン間引き対象サブフィールド決定ステップと、
前記ライン間引き対象サブフィールド決定ステップで決定されたＭ個の前記ライン間引き対象サブフィールドのラインが一ラインおきに間引かれた間引きサブフィールドから間引かれたラインを補間したＭ個の第１の出力用サブフィールドを生成する第１出力用サブフィールド生成ステップと、
前記ライン間引き対象サブフィールド決定ステップで決定されたＮ個の前記原サブフィールドからＮ個の第２の出力用サブフィールドを生成する第２出力用サブフィールド生成ステップと
を有する出力用サブフィールド生成方法。
【請求項１６】
前記第１出力用サブフィールド生成ステップで、前記間引きサブフィールドの間引かれたラインを前記間引かれたラインに隣接する上ラインまたは下ラインのいずれか一方のデータを複写することで前記第１の出力用サブフィールドを生成する請求項１１または１５記載の出力用サブフィールド生成方法。
【請求項１７】
前記第１出力用サブフィールド生成ステップで、前記フレーム画像が偶数フレームの場合には前記間引きサブフィールドの間引かれたラインに前記間引かれたラインに隣接する上側または下側のいずれか一方の側のラインを複写し、前記フレーム画像が奇数フレームの場合には前記間引きサブフィールドの間引かれたラインに前記間引かれたラインに隣接する前記偶数フレームの場合とは異なる側のラインを複写することで前記第１の出力用サブフィールドを生成する請求項１１または１５記載の出力用サブフィールド生成方法。
【請求項１８】
前記第２出力用サブフィールド生成ステップが、前記間引きサブフィールドの間引かれたラインの位置に対応する前記フレーム画像を構成する重み付けされた（Ｍ＋Ｎ）個の前記原サブフィールドのラインから成る補正前ラインデータの重み付け合計と前記間引きサブフィールドの間引かれたラインの位置に対応する前記第１の出力用サブフィールドのラインと前記第２の出力用サブフィールドのラインから成る補正後ラインデータの重み付け合計との誤差を拡散するように、Ｎ個の前記第２の出力用サブフィールドを生成する請求項１６または１７記載の出力用サブフィールド生成方法。
【請求項１９】
前記第１出力用サブフィールド生成ステップで、前記間引きサブフィールドの間引かれたラインの位置および前記間引かれたラインに隣接する上側または下側のいずれか一方の側のラインの位置に対応する前記フレーム画像を構成する重み付けされた（Ｍ＋Ｎ）個の前記原サブフィールドの隣接する２ラインから成る補正前隣接２ラインデータの重み付け合計と前記間引きサブフィールドの間引かれたラインの位置および前記間引かれたラインに隣接する上側または下側のいずれか一方の側のラインの位置に対応する前記第１の出力用サブフィールドの隣接する２ラインと前記第２の出力用サブフィールドの隣接する２ラインから成る補正後隣接２ラインデータの重み付け合計との誤差を拡散するように、Ｍ個の前記第１の出力用サブフィールドを生成する請求項１６または１７記載の出力用サブフィールド生成方法。
【請求項２０】
前記第１出力用サブフィールド生成ステップおよび前記第２出力用サブフィールド生成ステップで、前記間引きサブフィールドの間引かれたラインの位置および前記間引かれたラインに隣接する上側または下側のいずれか一方の側のラインの位置に対応する前記フレーム画像を構成する重み付けされた（Ｍ＋Ｎ）個の前記原サブフィールドの隣接する２ラインから成る補正前隣接２ラインデータの重み付け合計と前記間引きサブフィールドの間引かれたラインの位置および前記間引かれたラインに隣接する上側または下側のいずれか一方の側のラインの位置に対応する前記第１の出力用サブフィールドの隣接する２ラインと前記第２の出力用サブフィールドの隣接する２ラインから成る補正後隣接２ラインデータの重み付け合計との誤差を拡散するように、Ｍ個の前記第１の出力用サブフィールドおよびＮ個の前記第２の出力用サブフィールドを生成する請求項１６または１７記載の出力用サブフィールド生成方法。
【発明の詳細な説明】
【技術分野】
【０００１】
本発明は、サブフィールドによる映像表示を行う技術に関し、特に立体表示における解像度の改善に係わる技術に関する。
【背景技術】
【０００２】
近年、液晶ディスプレイやプラズマディスプレイ（以下、「ＰＤＰ」と略記）などのディスプレイ装置において、立体表示システムが普及しつつある。
【０００３】
フレームシーケンシャル方式の立体表示システムでは、左目用画像（以下、「Ｌ画像」と略記）と右目用画像（以下、「Ｒ画像」と略記）を交互に表示するため、通常の２次元映像の表示（以下、「平面表示」と称す）の倍速で画像フレームの更新を行う必要がある。
【０００４】
そのため、従来と処理能力が同じディスプレイ装置で立体表示を行う方法としては、画像の間引き表示により画面の走査時間を短縮するといった方法がある。画像の間引き表示に関連した従来の技術としては、ＰＤＰにおける省電力対策として１行おきに発光素子を間引き発光させる方法が開示されている（例えば、特許文献１参照）。また、ＰＤＰにおいて、画像データの間引きを行っても人間の視覚特性を利用することで総合的な画質の向上を図る方法が提案されている（例えば、特許文献２、３参照）。
【先行技術文献】
【特許文献】
【０００５】
【特許文献１】特開２００７−４１２２１号公報
【特許文献２】特開平１１−２４６２８号公報
【特許文献３】特許第３８５０６２５号公報
【発明の概要】
【発明が解決しようとする課題】
【０００６】
しかしながら、上述した特許文献１においては、予め定められた固定列について間引き発光が行われており、また、特許文献２においては、複数のサブフィールドの内、予め定められた固定の下位ビットからなるサブフィールドについて間引き処理が行われており、また、特許文献３においては、最下位サブフィールドを含む外部から設定された数のサブフィールドについて間引き処理が行われている。
【０００７】
従って、どのような画像（例えば、輝度の高い画像及び輝度の低い画像）であっても予め設定された領域（列、サブフィールド）について、間引き処理が行われており、映像に応じて適応的な間引き処理を行うことができず、画質を向上させることができないという課題を有していた。
【０００８】
また、画像の間引き表示に関連した従来の技術による立体表示では、間引きが行われない通常の平面表示に比べて斜め線の表示におけるジャギー（ぎざぎざ）が目立つなどの課題を有していた。
【０００９】
本発明は、１フレームの画像をいくつかの重み付け（明るさの重み係数のこと）されたサブフィールド（以下、「ＳＦ」と略記）に分割して中間階調表示を行うＰＤＰのような表示装置において、間引きされていない元のＳＦ（原ＳＦ）を１ラインおきに間引いた間引きＳＦと、間引きを行わず原ＳＦと同様の解像度を持つＳＦとに基づくフレーム表示により、シングルスキャン方式での立体表示でもデュアルスキャン方式並の画質を実現することを目的とする。
【課題を解決するための手段】
【００１０】
上記目的を達成するために、本発明の出力用サブフィールド生成装置は、フレーム画像を構成する重み付けされた（Ｍ＋Ｎ）個（Ｍ、Ｎは正の整数）の原サブフィールドに対して、一行おきにライン間引きを行う対象となるＭ個のライン間引き対象サブフィールドとライン間引き対象サブフィールド以外のＮ個の原サブフィールドをフレーム画像の画像特性に基づいて決定するライン間引き対象サブフィールド決定手段と、ライン間引き対象サブフィールド決定手段で決定されたＭ個のライン間引き対象サブフィールドのラインが一行おきに間引かれた間引きサブフィールドから間引かれたラインを補間したＭ個の第１の出力用サブフィールドを生成する第１出力用サブフィールド生成手段と、ライン間引き対象サブフィールド決定手段で決定されたＮ個の原サブフィールドからＮ個の第２の出力用サブフィールドを生成する第２出力用サブフィールド生成手段とを有する。
【００１１】
このような構成により、フレーム画像の画像特性に基づいてＭ個の間引きＳＦおよびＮ個の原ＳＦにより１つのフレーム画像を構成することができる。したがって、表示品質の低下を防止しつつ、駆動ＬＳＩの動作速度を速めることなく、単位時間当たりの表示フレーム数を増やすことができる。特に、本発明の出力用サブフィールド生成装置をＬ画像とＲ画像を交互に表示するフィールドシーケンシャル方式の立体表示装置に適用した場合には、データ書き込みに割り当てられる時間の余裕が少ないシングルスキャン方式であっても、デュアルスキャン方式並の画質で表示することができるというメリットが生じる。
【００１２】
また、本発明の出力用サブフィールド生成装置は、画像特性としてフレーム画像の輝度特性、フレーム画像の平均画素レベル、フレーム画像の緑信号の画素分布、またはフレーム画像内のエッジ情報の少なくとも１つまたはそれらの組み合せを用いるものである。
【００１３】
このような構成により、フレーム画像の特徴に応じたライン間引き対象ＳＦと原ＳＦの選択を行うことができる。これにより、駆動ＬＳＩの動作速度を速めることなく、単位時間当たりの表示フレーム数を増やして表示品質の低下を抑制することができる。
【００１４】
また、本発明の出力用サブフィールド生成装置は、ライン間引き対象サブフィールド決定手段が、フレーム画像を構成する原ＳＦの中で表示データのない原ＳＦをＭ個のライン間引き対象ＳＦとして選択するものである。
【００１５】
このような構成により、間引きを行っても画質に影響を与えない原ＳＦをライン間引き対象ＳＦとして選択する。これにより、駆動ＬＳＩの動作速度を速めることなく、単位時間当たりの表示フレーム数を増やして表示品質の低下を抑制することができる。
【００１６】
また、本発明の出力用サブフィールド生成装置は、ライン間引き対象サブフィールド決定手段が、フレーム画像を構成する原ＳＦの中で重み付けが最大または最小の少なくともいずれか一方の原ＳＦをライン間引き対象ＳＦ以外のＮ個の原ＳＦとして選択するものである。
【００１７】
このような構成により、フレーム画像の全体の特徴あるいは細部の特徴に影響を及ぼす重み付けが最大または最小の少なくともいずれか一方の原ＳＦがフレーム画像の表示に反映される。これにより、明るい画像における全体の輝度レベルの再現性や暗い画像における細部の輝度レベルの再現性を維持して表示品質の低下を抑制することができる。
【００１８】
また、本発明の出力用サブフィールド生成装置は、フレーム画像を構成する重み付けされた（Ｍ＋Ｎ）個の原サブフィールドに対して、一ラインおきにライン間引きを行う対象となるＭ個のライン間引き対象サブフィールドとライン間引き対象サブフィールド以外のＮ個の原サブフィールドを、Ｍ個のライン間引き対象サブフィールドの組み合せの予め決められたＬ個のパターンを順次適用するようにして決定するライン間引き対象サブフィールド決定手段と、ライン間引き対象サブフィールド決定手段で決定されたＭ個のライン間引き対象サブフィールドのラインが一ラインおきに間引かれた間引きサブフィールドから間引かれたラインを補間したＭ個の第１の出力用サブフィールドを生成する第１出力用サブフィールド生成手段と、ライン間引き対象サブフィールド決定手段で決定されたＮ個の原サブフィールドからＮ個の第２の出力用サブフィールドを生成する第２出力用サブフィールド生成手段とを有する。
【００１９】
このような構成により、Ｍ個のライン間引き対象ＳＦの組み合せの予め決められたＬ個のパターンに基づいてＬ個のパターンの出力用ＳＦの組み合せを生成することができる。これにより、フレーム画像に対するライン間引き対象ＳＦと原ＳＦの組み合せの固定化を防ぐことで、静止画等の動きの少ない画像に対しても表示品質の低下を抑制することができる。
【００２０】
また、本発明の出力用サブフィールド生成装置は、第１出力用サブフィールド生成手段が、間引きサブフィールドの間引かれたラインを間引かれたラインに隣接する上ラインまたは下ラインのいずれか一方のデータを複写することで第１の出力用サブフィールドを生成する。
【００２１】
このような構成により、間引きＳＦの間引かれたラインに対する補間処理の時間短縮や回路規模低減が見込める。これにより、駆動ＬＳＩの動作速度を速めることなく単位時間当たりの表示フレーム数を増やして表示品質の低下を抑制することができる。
【００２２】
また、本発明の出力用サブフィールド生成装置は、第１出力用サブフィールド生成手段が、フレーム画像が偶数フレームの場合には間引きサブフィールドの間引かれたラインに間引かれたラインに隣接する上側または下側のいずれか一方の側のラインを複写し、フレーム画像が奇数フレームの場合には間引きサブフィールドの間引かれたラインに間引かれたラインに隣接する偶数フレームの場合とは異なる側のラインを複写することで第１の出力用サブフィールドを生成する。
【００２３】
このような構成により、間引きＳＦの間引かれたラインに対する補間処理に利用するラインの位置の固定化が防がれる。これにより、第１出力用ＳＦの補間された間引きラインのデータが間引きラインに隣接する上下のラインデータで平均化され、表示品質の低下を抑制することができる。
【００２４】
また、本発明の出力用サブフィールド生成装置は、第２出力用サブフィールド生成手段が、間引きサブフィールドの間引かれたラインの位置に対応するフレーム画像を構成する重み付けされた（Ｍ＋Ｎ）個の原サブフィールドのラインから成る補正前ラインデータの重み付け合計と間引きサブフィールドの間引かれたラインの位置に対応する第１の出力用サブフィールドのラインと第２の出力用サブフィールドのラインから成る補正後ラインデータの重み付け合計との誤差を周辺画素へと拡散するように、Ｎ個の第２の出力用サブフィールドを生成する。
【００２５】
このような構成により、第１出力用ＳＦおよび第２出力用ＳＦから構成されるフレーム画像の重み付け合計と元のフレーム画像の重み付け合計の差が小さくなる。これにより、ライン間引き処理によるフレーム画像全体としての輝度レベルの変化を小さくすることで、表示品質の低下を抑制することができる。
【００２６】
また、本発明の出力用サブフィールド生成装置は、第１出力用サブフィールド生成手段が、間引きサブフィールドの間引かれたラインの位置および間引かれたラインに隣接する上側または下側のいずれか一方の側のラインの位置に対応するフレーム画像を構成する重み付けされた（Ｍ＋Ｎ）個の原サブフィールドの隣接する２ラインから成る補正前隣接２ラインデータの重み付け合計と間引きサブフィールドの間引かれたラインの位置および間引かれたラインに隣接する上側または下側のいずれか一方の側のラインの位置に対応する第１の出力用サブフィールドの隣接する２ラインと第２の出力用サブフィールドの隣接する２ラインから成る補正後隣接２ラインデータの重み付け合計との誤差を拡散するように、Ｍ個の第１の出力用サブフィールドを生成する。
【００２７】
このような構成により、第１出力用ＳＦおよび第２出力用ＳＦから構成されるフレーム画像の重み付け合計と元のフレーム画像の重み付け合計の差が小さくなる。これにより、ライン間引き処理によるフレーム画像全体としての輝度レベルの変化を小さくすることで、表示品質の低下を抑制することができる。
【００２８】
また、本発明の出力用サブフィールド生成装置は、第１出力用サブフィールド生成手段および第２出力用サブフィールド生成手段が、間引きサブフィールドの間引かれたラインの位置および間引かれたラインに隣接する上側または下側のいずれか一方の側のラインの位置に対応するフレーム画像を構成する重み付けされた（Ｍ＋Ｎ）個の原サブフィールドの隣接する２ラインから成る補正前隣接２ラインデータの重み付け合計と間引きサブフィールドの間引かれたラインの位置および間引かれたラインに隣接する上側または下側のいずれか一方の側のラインの位置に対応する第１の出力用サブフィールドの隣接する２ラインと第２の出力用サブフィールドの隣接する２ラインから成る補正後隣接２ラインデータの重み付け合計との誤差を拡散するように、Ｍ個の第１の出力用サブフィールドおよびＮ個の第２の出力用サブフィールドを生成する。
【００２９】
このような構成により、第１出力用ＳＦおよび第２出力用ＳＦから構成されるフレーム画像の重み付け合計と元のフレーム画像の重み付け合計の差が小さくなる。これにより、ライン間引き処理によるフレーム画像全体としての輝度レベルの変化を小さくすることで、表示品質の低下を抑制することができる。
【発明の効果】
【００３０】
本発明のサブフィールド生成装置およびサブフィールド生成方法によれば、駆動ＬＳＩの動作速度を速めることなく、単位時間当たりの表示フレーム数を増やすことができ、特に、Ｌ画像とＲ画像を交互に表示するフィールドシーケンシャル方式の立体表示に適用すれば、シングルスキャン方式であってもデュアルスキャン方式並の画質で表示することができる。
【図面の簡単な説明】
【００３１】
【図１】本発明の実施の形態１におけるＰＤＰのサブフィールドの説明図
【図２】本発明の実施の形態１におけるＰＤＰの主要構成を示すブロック図
【図３】本発明の実施の形態１におけるＰＤＰのサブフィールド生成の説明図
【図４】本発明の実施の形態１におけるＰＤＰのサブフィールド生成装置の詳細な構成を示すブロック図
【図５】本発明の実施の形態１における立体表示時のフォーマット変換の一例を示す図
【図６ａ】本発明の実施の形態１における偶数フレームに対するフォーマット変換の一例を示す図
【図６ｂ】本発明の実施の形態１における奇数フレームに対するフォーマット変換の一例を示す図
【図７】本発明の実施の形態１における第１の誤差拡散処理を示す図
【図８】本発明の実施の形態１における第２の誤差拡散処理を示す図
【図９】本発明の実施の形態１における誤差を最小とする第３の誤差拡散処理の説明図
【図１０】本発明の実施の形態１における出力用サブフィールド生成処理の一例のフローチャート
【発明を実施するための形態】
【００３２】
以下に、本発明の実施の形態について、図１〜図１０を用いて説明する。
【００３３】
（実施の形態１）
図１は、本発明の実施の形態１におけるＰＤＰのサブフィールドの説明図であり、フレーム画像が、明るさの重み係数が異なる４つのサブフィールドＳＦ１〜ＳＦ４に分割される場合を示している。
【００３４】
図２は、本発明の実施の形態１におけるＰＤＰの主要構成を示すブロック図であり、ＰＤＰがＲ、Ｇ、Ｂの明るさを表す信号レベルで表現された１フレームの映像を複数のＳＦに分割するサブフィールド生成装置１００と、実際に表示を行うプラズマディスプレイパネルユニット２００から構成されることを示している。
【００３５】
図２に示すように、サブフィールド生成装置１００は、逆ガンマ補正器１１０、サブフィールド変換器１２０、出力用サブフィールド生成器１３０、サブフィールド処理器１４０、ライン間引き対象サブフィールド決定器１５０、サブフィールド生成用バッファ１６０および誤差拡散用バッファ１７０を備えており、サブフィールド生成装置１００に入力される映像信号に基づいてＳＦを生成してプラズマディスプレイパネルユニット２００に出力する。
【００３６】
逆ガンマ補正器１１０は、あるガンマ特性を持って入力されたＲ、Ｇ、Ｂの映像信号に対して逆ガンマ補正を行い、補正後の映像信号をサブフィールド変換器１２０に出力する。
【００３７】
サブフィールド変換器１２０は、逆ガンマ補正器１１０によって逆ガンマ補正されたフレーム画像を（Ｍ＋Ｎ）個のＳＦに分割して出力用サブフィールド生成器１３０に出力する。
【００３８】
出力用サブフィールド生成器１３０は、サブフィールド変換器１２０から出力されるＳＦに対して所定のフォーマット変換（詳細については後述）を行い、変換後のＳＦをサブフィールド処理器１４０に出力する。また、変換後のＳＦの駆動情報をプラズマディスプレイパネルユニット２００の走査・維持・消去駆動回路２２０に出力する。
【００３９】
サブフィールド処理器１４０は、出力用サブフィールド生成器１３０から出力される変換後のＳＦに基づいて駆動データ信号を生成してプラズマディスプレイパネルユニット２００のデータ駆動回路２３０に出力する。
【００４０】
サブフィールド生成用バッファ１６０および誤差拡散用バッファ１７０は、出力用サブフィールド生成器１３０によるＳＦのフォーマット変換において使用されるバッファである。
【００４１】
プラズマディスプレイパネルユニット２００は、出力用サブフィールド生成器１３０から走査・維持・消去駆動回路２２０に入力される駆動情報およびサブフィールド処理器１４０からデータ駆動回路２３０に入力されるデータ駆動信号に基づいてプラズマディスプレイパネル２１０を駆動して映像を表示する。
【００４２】
図３は、サブフィールド生成装置１００のサブフィールド生成の説明図である。
【００４３】
図３に示すように、サブフィールド変換器１２０が入力画像の１フレームを、例えば、５個のサブフィールドＳＦ１〜ＳＦ５に分割する。その後、出力用サブフィールド生成器１３０が、分割されたＳＦ１〜ＳＦ５を全ラインをそのまま表示する全ライン表示ＳＦ（ＳＦ２、ＳＦ４、ＳＦ５に対応した変換後ＳＦ）とライン間引き（例えば、奇数または偶数ラインを間引く等）を行った後間引きラインを補間した間引き表示ＳＦ（ＳＦ１、ＳＦ３に対応した変換後ＳＦ）にフォーマットの変換を行う。
【００４４】
図３では、フレーム画像を構成する５のＳＦが全ライン表示ＳＦ３個と間引き表示ＳＦ２個にフォーマット変換される場合が示されているが、全ライン表示ＳＦの数と間引き表示ＳＦの数の組み合せは適宜選択することができる。
【００４５】
次に、フレーム画像を構成する複数のＳＦのそれぞれに対して、全ライン表示ＳＦとするか間引き表示ＳＦとするかの判定方法について、図４を用いて説明する。
【００４６】
図４は、サブフィールド生成装置１００の詳細な構成を示すブロック図である。
【００４７】
図４に示すように、出力用サブフィールド生成器１３０は、第１サブフィールド生成部１３４および第２サブフィールド生成部１３５、画質最適化処理部１３１、サブフィールド出力部１３２および駆動制御部１３３を備えている。
【００４８】
また、ライン間引き対象サブフィールド決定器１５０は、画像特性処理部１５１、判定部１５２、記憶部１５３およびパターン管理部１５４を備えている。
【００４９】
以下に、フレーム画像を構成する重み付けされた（Ｍ＋Ｎ）個（Ｍ、Ｎは正の整数）の原ＳＦのそれぞれに対して、一行おきにライン間引きを行う対象となるＭ個のライン間引き対象ＳＦとするかまたはライン間引きしないＮ個の原ＳＦとするかを決定する方法について説明する。
【００５０】
画像特性処理部１５１は、逆ガンマ補正器１１０から入力される映像信号およびサブフィールド変換器１２０から入力されるＳＦ情報に基づいてフレーム画像の画像特性に係る情報を生成し、判定部１５２に出力する。画像特性に係る情報として、フレーム画像の輝度特性、フレーム画像の平均画素レベル、フレーム画像の緑信号の画素分布、フレーム画像内のエッジ情報の少なくとも１つまたはそれらの組み合せなどを使用することができる。
【００５１】
判定部１５２は、画像特性処理部１５１からの画像特性に係る情報を予め記憶部１５３に記憶されたフレーム画像の輝度特性、平均画素レベル、緑信号の画素分布などの閾値と比較することで、フレーム画像が明るい画像なのか暗い画像なのかを判定する。その判定結果に基づいて、明るい画像に対しては、明るさの重み係数が相対的に小さい（相対的に暗い）ＳＦをライン間引き対象ＳＦに、明るさの重み係数が相対的に大きい（相対的に明るい）ＳＦを全ライン表示ＳＦに決定する。一方、暗い画像に対しては、明るさの重み係数が相対的に大きい（相対的に明るい）ＳＦをライン間引き対象ＳＦに、明るさの重み係数が相対的に小さい（相対的に暗い）ＳＦを全ライン表示ＳＦに決定する。
【００５２】
この決定方法により、明るい画像の場合には、相対的に明るいＳＦを全ライン表示ＳＦとすることで、フル解像度に近い画質を得ることができる。また、暗い画像の場合には、相対的に暗いＳＦを全ライン表示ＳＦとすることで、暗部の階調性を維持した画質を得ることができる。
【００５３】
また、判定部１５２が表示データのない原ＳＦをライン間引き対象ＳＦとして決定したり、明るさの重み係数が最大または最小の少なくともいずれか一方の原ＳＦをライン間引きしないＳＦとして決定するようにしても良い。
【００５４】
これにより、ＳＦ１〜ＳＦ５の５個のＳＦにより構成されるフレーム画像において、２個のＳＦだけが全ライン表示可能だとした場合、フレーム画像の絵柄が暗くてＳＦ１〜ＳＦ３までしかデータがないのにＳＦ４、ＳＦ５を全ライン表示ＳＦに決定することは無駄である。この場合は、画像特性に基づき、データがあるＳＦの中で明るさの重み係数が最大のＳＦ３を基準としてＳＦ２およびＳＦ３を全ライン表示ＳＦとして選択するか、明るさの重み係数が最小のＳＦ１を基準としてＳＦ１およびＳＦ２を全ライン表示ＳＦとして選択することで、元のフレーム画像の再現性を高めることができる。
【００５５】
また、判定部１５２が画像特性としてエッジ情報を使用する場合、フレーム画像を構成する原ＳＦの各々に対して２つの信号レベルの差が閾値以上のときエッジと判定する。その後、各原ＳＦごとにエッジと判定された信号のレベル差に係るヒストグラム（棒状グラフ）を作成し、そのヒストグラムから所定の判定基準に基づいてフレーム画像を構成する原ＳＦから全ライン表示ＳＦを選択する。なお、所定の判定基準は、ヒストグラムの形と全ライン表示すべきＳＦとの関係を示す参照表（Ｌｏｏｋ  Ｕｐ  Ｔａｂｌｅ：以下、「ＬＵＴ」と略記）として記憶部１５３に予め記憶しておいても良い。同様に、画像特性としてフレーム画像の輝度特性を使用する場合には、輝度の明るい画面、輝度の低い画面、輝度分布が集中している画面、輝度分布が広範に広がっている画面等に応じて全ライン表示すべきＳＦとの関係を示すＬＵＴを用意しておけば良い。
【００５６】
さらに、ライン間引き対象サブフィールド決定器１５０はパターン管理部１５４を備え、パターン管理部１５４は判定部１５２から入力される情報をそのまま出力用サブフィールド生成器１３０に出力するか、全ライン表示ＳＦとライン間引き対象ＳＦとの組み合せ情報をフレーム画像ごとに変更して出力用サブフィールド生成器１３０に出力するか切り替えられるようにしても良い。組み合せ情報の変更方法としては、フレーム画像を構成する各原ＳＦが全ライン表示ＳＦまたはライン間引き対象ＳＦとなる回数が複数のフレーム画像を通してみるとほぼ同じになるような固定パターンとする方法、人間の目に組み合せの変更が分かり難いランダムパターンとする方法、立体表示の場合には、Ｌ画像のあるＳＦと対応するＲ画像のＳＦに対していずれか一方が全ライン表示ＳＦとなり他方がライン間引き対象ＳＦとなるようにする方法などがあり、表示画像の特性に応じて変更方法を選択することができる。
【００５７】
パターン管理部１５４は、通常は判定部１５２から入力される情報をそのまま出力用サブフィールド生成器１３０に出力するが、フレーム画像が静止画を含む動きが殆どない画像に切り替わったため全ライン表示ＳＦとライン間引き対象ＳＦとの組み合せが固定化されると、所定の時間経過後に所定の条件で組み合せ情報を変更して出力用サブフィールド生成器１３０に出力する。なお、組み合せ情報の変更パターンは、（Ｍ＋Ｎ）個の原ＳＦに対してＭ個のライン間引き対象ＳＦとＮ個の全ライン表示ＳＦの組み合せパターンＬ個を予め記憶部１５３に記憶しておくことができる。
【００５８】
立体表示の場合、ライン間引き対象サブフィールド決定器１５０において上記の組み合せ情報の変更を行うことで、対応するＬ画像とＲ画像とで全ライン表示ＳＦとするＳＦとライン間引き対処ＳＦとするＳＦが異なるように構成される。このため、Ｌ画像で解像度の低い（／高い）ＳＦに対応したＲ画像のＳＦは解像度の高い（／低い）ＳＦとなって互いに解像度を補完するため、視認性を高めることができる。図５には、立体表示におけるＬ画像とＲ画像に対する全ライン表示ＳＦとライン間引き対象ＳＦの組み合せの一例を示している。
【００５９】
次に、出力用サブフィールド生成器１３０が、ライン間引き対象サブフィールド決定器１５０で決定されたＭ個のライン間引き対象ＳＦとＮ個の原ＳＦに係る情報に基づいて（Ｍ＋Ｎ）個の出力用ＳＦを生成する処理について説明する。
【００６０】
ライン間引き対象サブフィールド決定器１５０のパターン管理部１５４から出力される組み合せ情報が、出力用サブフィールド生成器１３０の第１サブフィールド生成部１３４および第２サブフィールド生成部１３５と画質最適化処理部１３１に入力され、第１サブフィールド生成部１３４および第２サブフィールド生成部１３５が（Ｍ＋Ｎ）個の出力用ＳＦを生成する。
【００６１】
パターン管理部１５４から入力される組み合せ情報に基づいて、第１サブフィールド生成部１３４はＭ個の第１の出力用ＳＦ（ライン間引き対象ＳＦに基づいて生成される間引き表示ＳＦ）を生成し、第２サブフィールド生成部１３５はＮ個の第２の出力用ＳＦ（全ライン表示ＳＦ）を生成する。
【００６２】
第１サブフィールド生成部１３４は、パターン管理部１５４から出力される組み合せ情報に基づいて、ライン間引き対象ＳＦから間引かれたラインをその間引かれたラインに隣接する上ラインまたは下ラインのいずれか一方のデータを複写することで間引き表示ＳＦを生成する。その際、偶数フレームと奇数フレームとで複写するラインを互いに異なるようにして（偶数フレームに対して上ラインを複写するならば、奇数フレームに対しては下ラインを複写する）間引き表示ＳＦの生成の仕方の固定化を防ぐことで、画質劣化を抑制することができる。
【００６３】
また、第１サブフィールド生成部１３４は、フレーム毎に間引くラインを変えることで、画質劣化を抑制することができる（例えば、偶数フレームで偶数番目のラインを間引いたら、奇数フレームでは奇数番目のラインを間引く）。この場合、間引かれたラインには常に上側または下側のラインを複写する。
【００６４】
図６ａおよび図６ｂは、ＳＦ２およびＳＦ３がライン間引き対象ＳＦである場合の偶数フレームおよび奇数フレームに対する間引き表示ＳＦの生成例を示している。なお、白い部分はビットが立っている（点灯させる）ことを、黒い部分はビットが立っていない（点灯させない）ことを示している。
【００６５】
図６ａ（偶数フレーム）では、ＳＦ１〜ＳＦ５までの５つのＳＦのうちＳＦ２とＳＦ３が間引き対象となっているが、１ライン目、３ライン目のＳＦ２とＳＦ３のデータを２ライン目、４ライン目のＳＦ２とＳＦ３にそれぞれ単純コピーしている。
【００６６】
図６ｂ（奇数フレーム）ではコピーされるラインが１ラインずつずれ、１ライン目のさらに上にある０ライン目、２ライン目、４ライン目のＳＦ２とＳＦ３のデータが、１ライン目、３ライン目と４ライン目のさらに下にある５ライン目のＳＦ２とＳＦ３にそれぞれ単純コピーされる。
【００６７】
画質最適化処理部１３１は、第１サブフィールド生成部１３４および第２サブフィールド生成部１３５が生成する（Ｍ＋Ｎ）個の出力用ＳＦに対して、原ＳＦで構成されるフレーム画像と出力用ＳＦで構成されるフレーム画像と間でのライン間引きに起因する画質劣化をできる限り抑えるために、全ＳＦの重み合計（各ＳＦの重み付けとデータの有無によって決まる値）の変化を周辺画素にフィードバックし、誤差拡散処理による画質最適化を行う。
【００６８】
画質最適化処理部１３１は、ライン間引き対象ＳＦの間引きラインの位置（以下、「間引き対象ライン位置」と称す）に対応する（Ｍ＋Ｎ）個の原ＳＦのデータの重み合計と（Ｍ＋Ｎ）個の出力用ＳＦのデータの重み合計との誤差を拡散するように、Ｎ個の第２の出力用ＳＦの間引き対象ライン位置のデータを変更する。なお、間引き対象ライン位置のデータ変更だけで誤差が吸収しきれない場合は、さらに下のラインへと誤差を拡散させ、下のラインの（Ｍ＋Ｎ）個の原ＳＦのデータの重み合計を補正した上で（Ｍ＋Ｎ）個の出力用ＳＦを生成することで、間引きに起因する画質劣化を抑える。
【００６９】
なお、間引き対象であるＳＦ２とＳＦ３に関して、サブフィールド処理器１４０は同一データとなった２ライン分の書き込みを同時に行う。１ライン分の書き込みデータ量で２ライン分の書き込みを行うため、１サブフィールド分のデータ書き込み時間が半分にできる。
【００７０】
なお、サブフィールド出力部１３２は、間引き対象のＮ個の出力用ＳＦに関して、間引き対象ラインのデータは間引き対象でないラインのデータと同一になるので、サブフィールド処理器１４０に出力しなくてもよい。また、第２サブフィールド生成部１３５も、サブフィールド出力部１３２に対して間引き対象ラインの間引き対象ＳＦのデータを出力せず、サブフィールド出力部１３２及びサブフィールド処理器１４０は第２サブフィールド生成部１３５から出力されたデータを間引かずに出力するようにしても良い。
【００７１】
図７は、ＳＦ２とＳＦ３がライン間引き対象ＳＦの場合の第１の誤差拡散処理を示す図である。
【００７２】
図７に示すように、ライン間引き対象ＳＦであるＳＦ２とＳＦ３に対して第１ラインの画素のデータを第２ライン（間引き対象ライン）の画素に複写すると第２ラインの画素に対する重みが−２（ＳＦ２の分）と−４（ＳＦ３の分）の合計―６だけ変化する。この変化（誤差）をできるだけ吸収するために、画質最適化処理部１３１は、ＳＦ４の第２ラインの画素のデータを点灯から非点灯に、ＳＦ５の第２ラインの画素のデータを非点灯から点灯にすることで、重みを−８（ＳＦ４の分）と１６（ＳＦ５の分）の合計８だけ変更する。これにより、第２ラインの画素の重みの変化は（−６）＋８＝２となる。さらに、この余分な重みの変化の２は、ライン間引き対象ＳＦであるＳＦ２とＳＦ３の第３ラインのデータを変更することで相殺される。
【００７３】
第１の誤差拡散処理では、ライン間引き対象ＳＦの上側のラインから順次重みの誤差を最小にし、余った誤差をライン間引き対象ＳＦの下側のラインに拡散していくため、ライン間引き対象ＳＦの下側のラインでの誤差が非常に大きくなってしまう場合がある。
【００７４】
そこで、第２の誤差拡散処理処理として、間引き対象ライン位置に対応する（Ｍ＋Ｎ）個の原ＳＦのラインデータの重み合計と（Ｍ＋Ｎ）個の出力用ＳＦのラインデータの重み合計との誤差を最小にするように、Ｍ個の第１の出力用ＳＦの間引き対象ライン位置および間引き対象ラインへのデータの複写元となるライン位置のデータを変更する。なお、間引き対象ライン位置および間引き対象ラインへのデータの複写元となるライン位置のデータ変更だけで誤差が吸収しきれない場合に、下のラインへ誤差を拡散させることは第１の誤差拡散処理処理と同様である。
【００７５】
図８は、ＳＦ２とＳＦ３がライン間引き対象ＳＦの場合の第２の誤差拡散処理を示す図である。
【００７６】
図８に示すように、ライン間引き対象ＳＦであるＳＦ２とＳＦ３に対して第２ラインの画素のデータを第３ライン（間引き対象ライン）の画素に複写すると第３ラインの画素に対する重みが−２（ＳＦ２の分）と−４（ＳＦ３の分）の合計−６だけ変化する。この変化（誤差）をできるだけ吸収するために、画質最適化処理部１３１は、ＳＦ３の第２ラインの画素のデータを非点灯から点灯に、ＳＦ３の第３ラインの画素のデータを非点灯から点灯にすることで、重みを４（ＳＦ３の第２ラインの分）と４（ＳＦ３の第３ラインの分）の合計８だけ変更する。これにより、第２ラインの画素と第３ラインの画素を合わせた重みの変化は（−６）＋８＝２となる。さらに、この余分な重みの変化の２は、（−２）の誤差として第４ラインへ拡散する。
【００７７】
なお、第１の誤差拡散処理と第２の誤差拡散処理を組み合せることで、（Ｍ＋Ｎ）個の原ＳＦから成る元のフレーム画像と（Ｍ＋Ｎ）個の出力用ＳＦから成るフレーム画像の変化をより抑えることができる。
【００７８】
次に、図９を用いて誤差を最小とする誤差拡散処理について説明する。
【００７９】
図９に示すように、誤差を最小とする第３の誤差拡散処理は、処理部Ａと処理部Ｂの大きく２つの処理から成る。処理部Ａでは、ライン間引き対象ＳＦの上ライン（複写元ライン）と下ライン（間引き対象ライン）のデータが同じとなる各パターンに対して、残りの全ライン表示ＳＦの上ラインと下ラインのデータの全てのパターンの内、誤差が最小となる上ラインパターンおよび下ラインパターンが選択される。その後、処理部Ｂで、処理部Ａで選択された上ラインパターンおよび下ラインパターンの全ての組み合せの内、誤差が最小となる上ラインパターンおよび下ラインパターンが選択される。
【００８０】
次に、図１０を用いて出力用ＳＦ生成処理の一例について説明する。
【００８１】
サブフィールド生成装置１００による出力用ＳＦ生成処理は、ライン間引き対象サブフィールド決定処理と出力用ＳＦ生成処理とから成る。
【００８２】
ライン間引き対象サブフィールド決定処理は、以下に示すＳ１（ステップ１）〜Ｓ５（ステップ５）の処理から成る。
【００８３】
Ｓ１で、ライン間引き対象サブフィールド決定器１５０の画像特性処理部１５１が、フレーム画像の画像特性の抽出を行う。画像特性としては、フレーム画像の輝度特性、フレーム画像の平均画素レベル、フレーム画像の緑信号の画素分布、フレーム画像内のエッジ情報の少なくとも１つまたはそれらの組み合せである。
【００８４】
Ｓ２で、画像特性処理部１５１が、フレーム画像を構成する各原ＳＦに対して表示データの有無を検出する。
【００８５】
Ｓ３で、画像特性処理部１５１が、フレーム画像を構成する各原ＳＦに割り当てられた重みを取得する。
【００８６】
Ｓ４で、ライン間引き対象サブフィールド決定器１５０の判定部１５２が、Ｓ１〜Ｓ３で得られたフレーム画像の画像特性、各原ＳＦの表示データの有無の情報、各原ＳＦの重みに基づいて、Ｍ個のライン間引き対象ＳＦを決定する。
【００８７】
Ｓ５で、ライン間引き対象サブフィールド決定器１５０のパターン管理部１５４が、Ｍ個のライン間引対象ＳＦとＮ個の全ライン表示ＳＦの予め決められたＬ個の組み合せパターンを順次適用すべきか否かの判定を行う。例えば、静止画を含む動きが殆どない映像の場合には、ライン間引きによる画質劣化を抑制するために、予め決められたＬ個の組み合せパターンを順次適用すべきと判定する。予め決められたＬ個の組み合せパターンの適用が必要でない場合はＳ４で決定されたライン間引き対象ＳＦと全ライン表示ＳＦの組み合わせが出力用サブフィールド生成器１３０に出力される。一方、予め決められたＬ個の組み合せパターンの適用が必要な場合は、予め決められたＬ個の組み合せパターンの情報が出力用サブフィールド生成器１３０に出力される。
【００８８】
なお、Ｓ１〜Ｓ３の処理は、どの順序で実行しても良い、また、同時に実行しても良い。
【００８９】
次に、出力用ＳＦ生成処理は、以下に示すＳ６−１（ステップ６−１）／Ｓ６−２（ステップ６−２）〜Ｓ１２（ステップ１２）の処理から成る。
【００９０】
Ｓ６−１、Ｓ６−２で、第１サブフィールド生成部１３４および第２サブフィールド生成部１３５が、ライン間引き対象サブフィールド決定器１５０から出力されるライン間引き対象ＳＦと全ライン表示ＳＦの組み合わせ情報に基づいて、ライン間引き対象ＳＦに対する１行おきのライン間引きおよび全ライン表示ＳＦ（第２の出力用ＳＦ）の生成を行う。
【００９１】
Ｓ７で、第１サブフィールド生成部１３４が、１行おきにライン間引きされたライン間引き対象ＳＦの間引かれたラインを間引かれたラインに隣接する上ラインまたは下ラインのいずれか一方のデータで補間して間引き表示ＳＦ（第１の出力用ＳＦ）を生成する。このとき、偶数フレームと奇数フレームで補間に使うデータを異ならす（例えば、偶数フレームで上ラインを使うなら、奇数フレームでは下ラインを使う）ことで、ライン間引きによる画質劣化を映像全体として抑制することができる。
【００９２】
Ｓ８で、画質最適化処理部１３１は、Ｓ６−２で生成された全ライン表示ＳＦ（第２の出力用ＳＦ）とＳ７で生成された間引き表示ＳＦ（第１の出力用ＳＦ）に対して、図７で説明した第１の誤差拡散処理を間引き表示ＳＦの間引かれたライン位置に対応する全てのラインに対して繰り返し適用することで出力用ＳＦを生成する。
【００９３】
Ｓ９で、画質最適化処理部１３１は、Ｓ８で出力用ＳＦを生成し終わった段階で残余誤差が閾値内か否かを判定する。閾値内の場合には、Ｓ１３に移って出力用ＳＦ生成処理を終了し、閾値外の場合にはＳ１０に移る。
【００９４】
Ｓ１０で、画質最適化処理部１３１は、Ｓ９で誤差の残余が閾値外と判定された場合には、Ｓ８において第１の誤差拡散処理によって生成された出力用ＳＦを破棄し、Ｓ６−２で生成された全ライン表示ＳＦ（第２の出力用ＳＦ）とＳ７で生成された間引き表示ＳＦ（第１の出力用ＳＦ）に対して、図９で説明した第２の誤差拡散処理を間引き表示ＳＦの間引かれたライン位置に対応する全てのラインに対して繰り返し適用することで出力用ＳＦを生成する。
【００９５】
Ｓ１１で、画質最適化処理部１３１は、Ｓ１０で出力用ＳＦを生成し終わった段階で残余誤差が閾値内か否かを判定する。閾値内の場合には、Ｓ１３に移って出力用ＳＦ生成処理を終了し、閾値外の場合にはＳ１２に移る。
【００９６】
Ｓ１２で、画質最適化処理部１３１は、Ｓ１１で誤差の残余が閾値外と判定された場合には、Ｓ１０において第２の誤差拡散処理によって生成された出力用ＳＦを破棄し、Ｓ６−２で生成された全ライン表示ＳＦ（第２の出力用ＳＦ）とＳ７で生成された間引き表示ＳＦ（第１の出力用ＳＦ）に対して、図９で説明した第３の誤差拡散処理を間引き表示ＳＦの間引かれたライン位置に対応する全てのラインに対して繰り返し適用することで出力用ＳＦを生成する。
【００９７】
なお、図１０で説明した出力用ＳＦ生成処理の一例のように、残余誤差が閾値内か否かの判定に基づいて第１〜第３の誤差拡散処理を段階的に適用するのではなく、第１〜第３の誤差拡散処理のいずれか１つだけを適用したり、第１〜第３の誤差拡散処理の内の２つを段階的に適用しても良い。
【産業上の利用可能性】
【００９８】
本発明のサブフィールド生成装置およびサブフィールド生成方法は、駆動ＬＳＩの動作速度を速めることなく単位時間当たりの表示フレーム数を増やして表示品質の低下を抑制することを目的とした画像表示装置に適用することができる。
【００９９】
特に、シングルスキャン方式の立体表示装置に適用することで、デュアルスキャン方式並の画質を実現することができる。
【符号の説明】
【０１００】
１００    サブフィールド生成装置
１１０    逆ガンマ補正器
１２０    サブフィールド変換器
１３０    出力用サブフィールド生成器
１３１    画質最適化処理部
１３２    サブフィールド出力部
１３３    駆動制御部
１４０    サブフィールド処理器
１５０    ライン間引き対象サブフィールド決定器
１５１    画像特性処理部
１５２    判定部
１５３    記憶部
１５４    パターン管理部
１６０    サブフィールド生成用バッファ
１７０    誤差拡散用バッファ
２００    プラズマディスプレイパネルユニット
２１０    プラズマディスプレイパネル
２２０    走査・維持・消去駆動回路
２３０    データ駆動回路
【図１】
2014044222.tif 000003
【図２】
2014044222.tif 000004
【図３】
2014044222.tif 000005
【図４】
2014044222.tif 000006
【図５】
2014044222.tif 000007
【図６ａ】
2014044222.tif 000008
【図６ｂ】
2014044222.tif 000009
【図７】
2014044222.tif 000010
【図８】
2014044222.tif 000011
【図９】
2014044222.tif 000012
【図１０】
2014044222.tif 000013